(57)【要約】      （修正有）【課題】従来の電気毛布等の寝具や電気あんかによっては冷え性の人が寝床の中で、冷えきった足先を短時間に効果的に暖めることができないという問題点があった。本考案は、冷え性の人が寝床の中で、冷えきった両足の甲側と足裏を同時に短時間で効果的に暖めることができる電気あんかを提供する。【解決手段】寝床の中で仰臥の姿勢で両脚を真っ直ぐ伸して寝たとき、自然に前方傾斜した両足の足裏の傾斜角度に合わせた電気ヒ−タ−内設の加温足載台１を設け、更に、当該両足甲側を上方から直に加温できる上下回転開閉式電気あんか５を前記加温足載台に覆設する。【選択図】図２
0003112952.tif 000002
【実用新案登録請求の範囲】
【請求項１】
就寝時に使用する採暖用電気あんかにおいて、人が敷布団と上布団の間で仰臥の姿勢で横たわり両脚を真っ直ぐ伸した状態において、斜め上向きにやや反り返った両足足裏の大部分と当接可能な傾斜角度に手前傾斜した電気ヒ−タ−内設の採暖用の加温足載台と前記加温足載台を支持する支持機構を設け、更に、前記加温足載台の上に足裏を載せた前記両足の甲側全体を覆うことができ、かつ手前前方から上下に回転開閉する平板状の開閉式電気あんかを前記加温足載台に覆設したことを特徴とする電気あんか。
【請求項２】
請求項１記載の加温足載台と請求項１記載の開閉式電気あんかの間に両足を挿入するとき、前記開閉式電気あんかは上方向へ回転して開くが、その際当該両足の外側に形成される、開閉式電気あんかの回転軸を二等辺の交点とし加温足載台と開閉式電気あんかの二辺に挟まれた略二等辺三角形の隙間を布地等可撓性のある素材で塞ぐことにより当該両足を取り巻く空間の保温性を高めたことを特徴とする請求項１記載の電気あんか。
【請求項３】
両脚の踵から上の身体部位を加温可能な表面積を有する平板状の電気あんかを請求項１記載の加温足載台と一体化または電気回路を連結させたことを特徴とする請求項１記載の電気あんか。
【請求項４】
請求項３記載の平板状の電気あんかの最高設定温度を電気毛布の最高設定温度並に低温化させたことを特徴とする請求項３記載ので電気あんか。
【請求項５】
請求項１記載の加温足載台の形状形態を後方から上下に回転開閉する平板状の可動式加温足載台とし、前記可動式加温足載台の下方に請求項１記載の支持機構として適度な反発力を備えた反発バネ機構を設けることにより、就寝中の上布団の重量程度では当該可動式加温足載台は前記反発バネ機構に支持され請求項１記載の傾斜角度を維持し、請求項１記載の開閉式電気あんかの上から両脚の重量が加わるとき下方に回転して傾斜角度を狭め、姿勢を低くして、最終、略水平状態になるよう構成したことを特徴とする請求項１記載の電気あんか。
【請求項６】
両脚の踵から上の身体部位を加温可能な表面積を有する平板状の電気あんかを請求項５記載の可動式加温足載台と一体化または電気回路を連結させたことを特徴とする請求項５記載の電気あんか。
【請求項７】
請求項６記載の平板状の電気あんかの最高設定温度を電気毛布の最高設定温度並に低温化したことを特徴とする請求項６記載の電気あんか。
【考案の詳細な説明】
【技術分野】
【０００１】  本考案は、冷え性の人の足先を効果的に加温する電気あんかに関する。
【背景技術】
【０００２】  従来、冷え性の人のための寝具は電気毛布を中心にいろいろ考えられているが、電気毛布は本質的に低温火傷や脱水症状の防止のため、電気あんかに比べ低温に設定されており、就寝時、冷え性の人の足先を短時間に効果的に加温できないという欠点があった。
従来の電気あんかには、蒲鉾型の放熱あんか、平型あんか、ソフトあんかがあるが、これらのあんかはいずれも足裏またはふくらはぎを暖めるためには適しているが、足先の甲側を含めた足先全体を短時間に効果的に暖めることには不向きである。
また電気あんかの先行技術においては例えば、実開平７−３３３１１があるが、この考案の目的は、寝具内の足の占める位置に適宜大きさの加熱空間を設けて足周辺の空気を加熱させるものであり、明らかに本考案の技術思想とは相違するものである。
【考案の開示】
【考案が解決しようとする課題】
【０００３】  前記背景技術に記したように、従来の寝具やあんかによっては、冷え性の人が寝具の中で冷えきった足先を短時間に効果的に暖めることができないという問題点があった。
本考案は、寝具の中で両足の甲側と足裏を同時に電気あんかで挟み、短時間に効果的に暖めることができる電気あんかを提供することを目的としている。
【課題を解決するための手段】
【０００４】  上記目的を達成するため、本考案の電気あんかにおいては、寝具の中で仰臥の姿勢をとり両脚を真っ直ぐ伸して寝た際の両足を側面から見たとき、両足の側面が直下の水平から鋭角の角度で前方に傾斜している点に着目し、この両足足裏を当該傾斜姿勢のままで載せることができる同角度に前方傾斜した電気ヒ−タ−内設の加温足載台をを設け、更に当該両足の甲側を直に上から加温する平板状の開閉式電気あんかを前記加温足載台の上に覆設したものである。加温足載台の傾斜角度を３５度〜４５度とすれば全体のバランスのよいものになる。【０００５】  前記加温足載台と開閉式電気あんかの間へ両足を入れると、前記開閉式電気あんかが上方へ回転して持ち上がるため両足の外側に加温足載台と開閉式電気あんかに挟まれた略二等辺三角形の隙間が形成されるが、この隙間を塞ぐため、布地等可撓性のある素材で作成された前記隙間より一回り以上大きな略二等辺三角形の形状物２枚を用意し、前記各形状物の二等辺のうちの一辺を前記加温足載台の左右両辺縁のうちの一辺縁と夫々固着し、他の一辺を対向する前記開閉式電気あんかの一辺縁に夫々固着させる。
このとき、前記略二等辺三角形の形状物を大きなものにするほど前記開閉式電気あんかの回転可能角度が大きくなるため、開閉式電気あんかの開き具合を大きくすることができる。【０００６】  請求項３又は請求項６に記載する平板状の電気あんかの大きさについては、横幅は請求項１記載の加温足載台に準じた寸法でよいが、縦幅は随意に設定可能である。大まかにいえば、踵のみを加温するものと踵からふくらはぎを加温できるものとが考えられる。後者の場合、電気あんか全体として長寸法になるので、この延長部分を一定部位から折り畳めるような工夫を加えることが望ましい。
例えば、折り曲げ部を他の部位に比べて薄肉部とし、また折り曲げ部の表裏両面に複数条の凹溝を適当な間隔を置いて形成するなどの工夫を加えるとよい。【０００７】  請求項４または請求項７記載の電気あんかは、請求項３または請求項６記載の平板状の電気あんかの上に踵から上の身体部位を長時間継続して載せていた場合にも低温火傷する恐れが無いようにするため、前記平板状の電気あんかの最高設定温度を他の加温足載台や開閉式電気あんかの最高設定温度と区別し、電気毛布並の最高設定温度に低温化するものである。【０００８】  請求項５記載の電気あんかは、両足の表裏両面を電気あんかで挟み短時間かつ効果的に暖める冷え性対策機能に加え、従来の平型あんか、蒲鉾型あんか又はソフトあんかと同様の使い方にも自由に変換できる反発バネ機構を備えた電気あんかである。【０００９】  請求項５記載の反発バネ機構は、金属鋼の棒バネ、薄板バネ、圧縮コイルバネなどのほか、スポンジやパンヤなど樹脂又は繊維系の弾性体の利用が考えられる。また機構としては反発バネの形態に応じていろいろ考えられる。例えば、棒バネを利用する場合は大型の挟みクリップ状機構を２個使用してもよい。【００１０】  請求項５に記載する可動式加温足載台の当初の傾斜角度は請求項１に記載する加温足載台の傾斜角度と同様、直下の水平面から３５度〜４５度とするのが最適である。【００１１】  前記大型の挟みクリップ状機構２個を使用する場合の同クリップ状機構の嵩高は、クリップの２枚の羽根を並行にしたときの嵩高が２５ｍｍ前後であるものが適当である。【００１２】  請求項１記載の加温足載台から同記載の開閉式電気あんかへ、または請求項５記載の可動式加温足載台から同記載の開閉式電気あんかへ電気回路を連結する場合の配線用電気コ−ドの配線方法については、次のような方法が望ましい。
▲１▼まず直径２０ｍｍ前後で長さが開閉式電気あんかの横幅より若干短い中空の円筒形状物を用意する。
▲２▼次にこの円筒形状物の回転軸受けとするため、前記円筒形状物より少し内径の大きい円筒状軸受けを用意する。
▲３▼次に▲１▼の円筒形状物を▲２▼の円筒状軸受けに貫通させる。
▲４▼次に▲３▼の円筒状軸受けを加温足載台または可動式加温足載台の最後部中央の位置に取り付ける。
▲５▼次に開閉式電気あんかから導かれた電気コ−ドの先端を▲３▼の円筒形状物の外側から内部の中空部へ貫通させ、更にその先端を円筒形状物の一端から外部へ突出させる。
▲６▼次に▲５▼の円筒形状物の両端部近傍を開閉式電気あんかの裏側と固着させ、この円筒形状物を開閉式電気あんかの回転軸とする。
▲７▼次に▲５▼で突出させた電気コ−ドを加温足載台または可動式加温足載台の回路と連結させる。
この方法の長所は、開閉式電気あんかが手前前方から上下に回転しても、加温足載台または可動式加温足載台と連結する連結用電気コ−ドは若干のねじれの負担を受けるだけで、折れ曲がるという負担を受けないことである。図１２（ａ）、（ｂ）は、連結用電気コ−ド１３及び２６のねじれの状態を示す部分概念図である。図１２（ａ）は、開閉式電気あんかが閉じている状態における連結用電気コ−ド１３または２６の状態を、図１２（ｂ）は、開閉式電気あんかが開いている状態における連結用電気コ−ド１３または２６の状態を示す。
すなはち、開閉式電気あんかの開閉運動に伴い、連結用電気コ−ドに若干の角度の変化と若干のねじれが生じるが、電気コ−ドを少し長めにとることにより、電気コ−ドに対する負担は実際上無視し得る程度のものとなることを示している。【００１３】  請求項４または請求項７記載の平板状の電気あんかの最高設定温度を電気毛布並の低温に設定する方法としては、平板状の電気あんかに内設される電気ヒ−タ−の発熱線の発熱温度を小さくする方法、同電気あんかの発熱線を配置した芯地材の上下両面に適度な断熱性と保温性を有する繊維層からなるシ−トを封入する方法、あるいは、同電気あんか単独の温度コントロ−ラ−を内接又は外設する方法などが考えられる。
【考案の効果】
【００１４】  冷え性の人、特に足先冷え性の人の中には、就寝時に電気毛布を上下に使用し、更に従来の電気あんかを使用してもなお足先が冷たく一向に暖まらないという人が多い。
このような人はそのため寝床に入っても睡眠に入るまでに長時間を要し、睡眠不足をきたすことが多く、日常生活にも支障を生じることがある。
しかしながら背景技術や課題で述べたように、現在この問題を解決できる有効な採暖器具や寝具技術は見当たらない。
本考案は、寝床の中で両足の甲側と足裏を電気あんかで同時に挟んで加温する最初の採暖器具であり、短時間に採暖効果が得られるため、足先冷え性の人にとっては最良の電気あんかとなる。何故ならば、足先冷え性の人の足先は、甲側と足裏とを同時にかつ直接に強く加温しなければ十分に暖まらないからである。
【考案を実施するための最良の形態】
【００１５】  考案を実施するための最良の形態を実施例にもとずき図面を参照して説明する。
図１から図５は請求項３記載の電気あんかの実施例の図面である。
図２において、加温足載台の支持機構４に加温足載台１を取り付ける。加温足載台の加温部２と平板状の電気あんか１０とは一体化し電気回路は連結している。
円筒形状物６を円筒状軸受け７に貫通させ、円筒状軸受けを加温足載台１の最後部中央の位置に取付具１５を介して取り付ける。
次に開閉式電気あんかから導かれた連結用電気コ−ド１３の先端を円筒形状物６の外側から内部の中空部へ貫通させ、更にその先端を当該円筒形状物の一端から外部へ突出させる。次に円筒形状物６の両端部近傍を開閉式電気あんか５の裏側の最後部のやや内側に固定具１４により固着する。図６は円筒形状物６と固定具１４付近を一部拡大した側面図（概念図）である。固定具１４の円筒部分の内部表面と円筒形状物６の外側表面とは固着しており、また、固定具１４の板状部分は開閉式電気あんかの裏側表面と固着している。
開閉式電気あんかが手前前方から上下に回転すると円筒形状物６は円筒状軸受け７の中で同時に回転するが、この時固定具１４に作用する力の大部分は、円筒形状物６の回転摩擦程度に過ぎないので、この場合、この程度の固定方法で十分である。
次に、先に円筒形状物の一端から突出させておいた連結用電気コ−ド１３の先端と加温足載台の加温部２から導いた電気コ−ドとを接続する。【００１６】  保温幕８を開閉式電気あんか及び加温足載台の両サイドの縁に取り付ける。
保温幕８は厚手の毛布地様の暖かい感触の布地で作成する。大きさは、開閉式電気あんかの回転角度に余裕を持たせるため必要最低限よりもかなり余裕を持たせた略二等辺三角形の保温幕にする。【００１７】  平板状の電気あんか１０はこの例では踵からふくらはぎ上部までを加温できる長方形の電気あんかであるが、加温足載台の加温部２と一体化し、電気回路を連結している。
折り曲げ箇所にあたるところは薄肉部１２とし、かつ表面に２条の凹溝１１を適当な間隔を置いて形成している。【００１８】  電源コ−ド９の引き出し位置はこの例では加温足載台の支持機構４の後背部の下部に設けている。
また、底板３の裏面及び周縁には表面が滑らかなクッション性被膜１６を取り付ける。【００１９】  図７から図１１は請求項６記載の電気あんかの実施例の図面である。
図７（ｂ）で示す斜視図及び図８（ｂ）で示す側面図は、両脚を開閉式電気あんかの上に置いたときに請求項６記載の電気あんかが示す形態である。
図８（ａ）において、底板１９に最高傾斜角度３５°のクリップ型反発バネ機構２０の一方の羽根部を固着し、他方の羽根部に可動式加温足載台１７の裏面を取り付ける。また前記可動式加温足載台が下方へ回転した際、水平状態で回転を静止する静止台２８を底板１９の上に設ける。この実施例ではクリップ型反発バネ機構を２個使用している。
円筒形状物２２を円筒状軸受け２３に貫通させ、円筒状軸受けを可動式加温足載台１７の最後部中央に取付具２５を介して取り付ける。
次に開閉式電気あんか２１から導かれた連結用電気コ−ド２６の先端を円筒形状物２２の外側から内部の中空部へ貫通させ、更にその先端を当該円筒形状物の一端から外部へ突出させる。
次に円筒形状物２２の両端部近傍を開閉式電気あんか２１の裏側の最後部よりやや内側に固定具２４により取り付ける。
次に、先に円筒形状物２２の一端から突出させておいた連結用電気コ−ド２６の先端と可動式加温足載台の加温部１８から導いた電気コ−ドを接続する。【００２０】  この実施例の平板状電気あんか２７は、踵付近のみを加温する目的の寸法の短いものを使用している。
可動式加温足載台との電気回路の連結方法は、連結用電気コ−ド２９を底板１９を這わせて可動式加温足載台の裏側から可動式加温足載台の加温部１８の電気回路に連結させている。このとき連結用電気コ−ドの長さに適度のたるみをもたせておくことにより、可動式加温足載台が上下に回転することによる当該連結用電気コ−ドへの影響を最小限に止めることができる。【００２１】  電源コ−ド３０の引出し位置は、この実施例では平板状の電気あんか２７の側面に設けている。
また、底板１９の裏面及び周縁には表面が滑らかなクッション性の被膜３１を取り付ける。【００２２】  保温幕３２を開閉式電気あんか及び可動式加温足載台の両サイドの縁に取り付ける。
保温幕の材質、大きさ等については請求項３記載の実施例の場合と同様である。
なお、開閉式電気あんか５及び２１はいずれもソフトあんかを使用している。
【図面の簡単な説明】
【００２３】
【図１】  請求項３記載の電気あんかの実施例を示す斜視図である。
【図２】  図１の斜視図が示す実施例の側面図である。
【図３】  図１の斜視図が示す実施例の平面図である。
【図４】  図１の斜視図が示す実施例の正面図である。
【図５】  図１の斜視図が示す実施例の後背図である。
【図６】  円筒形状物・固定具付近の一部拡大側面図（概念図）である。
【図７】  （ａ）  請求項６記載の電気あんかの実施例を示す斜視図である。（ｂ）  図７（ａ）の実施例が示す電気あんかを別の使い方で使用した場合の斜視図である。
【図８】  （ａ）  図７（ａ）の斜視図が示す実施例の側面図である。（ｂ）  図７（ｂ）の斜視図が示す使い方をした場合の図７（ａ）の実施例の側面図である。
【図９】  図７（ａ）の斜視図が示す実施例の平面図である。
【図１０】  図７（ａ）の斜視図が示す実施例の正面図である。
【図１１】  図７（ａ）の斜視図が示す実施例の後背図である。
【図１２】  開閉式電気あんかの開閉運動に伴う、連結用電気コ−ドの動きを示す部分概念図である。
【符号の説明】
【００２４】１  加温足載台
２  加温足載台の加温部
３、１９  底板
４  加温足載台の支持機構
５、２１  開閉式電気あんか
６、２２  円筒形状物
７、２３  円筒状軸受け
８、３２  保温幕
９、３０  電源コ−ド
１０、２７  平板状の電気あんか
１１  凹溝
１２  薄肉部
１３、２６、２９  連結用電気コ−ド
１４、２４  固定具
１５、２５  取付具
１６、３１  クッション性被膜
１７  可動式加温足載台
１８  可動式加温足載台の加温部
２０  反発バネ機構
２８  静止台
【図１】
0003112952.tif 000003
【図２】
0003112952.tif 000004
【図３】
0003112952.tif 000005
【図４】
0003112952.tif 000006
【図５】
0003112952.tif 000007
【図６】
0003112952.tif 000008
【図７】
0003112952.tif 000009
【図８】
0003112952.tif 000010
【図９】
0003112952.tif 000011
【図１０】
0003112952.tif 000012
【図１１】
0003112952.tif 000013
【図１２】
0003112952.tif 000014